(57)【要約】【課題】上り回線において、通信環境に応じた最適な条件にて高速で大容量のパケットデータの通信を行うこと。【解決手段】バッファ１０６は、送信データを一時的に蓄積する。ＣＱＩ送信制御部１１３は、バッファ１０６に送信データが蓄積された場合は、ＣＱＩを生成する指示信号をＣＱＩ生成部１０７へ出力する。ＣＱＩ生成部１０７は、ＣＱＩ送信制御部１１３から指示信号の入力があった場合は品質情報に基づいてＣＱＩを作成し、ＣＱＩ送信制御部１１３から指示信号の入力がない場合にはＣＱＩを作成しない。基地局情報抽出部１０８は、受信データに含まれる送信パラメータ情報及びスケジューリング情報を抽出する。チャネルコーディング部１０９は、送信パラメータ情報の符号化率の情報に基づいて送信データを符号化する。変調部１１０は、送信パラメータ情報の変調方式の情報に基づいて送信データを変調する。【選択図】　　　図１
2004134898.tif 000002
【特許請求の範囲】
【請求項１】
送信データを蓄積するバッファ手段と、通信品質に応じたＣＱＩを生成するＣＱＩ生成手段と、前記バッファ手段に蓄積された送信データの量あるいは送信データに関係した値に応じて前記ＣＱＩの送信を制御する送信制御手段と、を具備することを特徴とする通信端末装置。
【請求項２】
前記送信制御手段は、前記バッファに送信データが蓄積されていない場合には前記ＣＱＩを送信しないことを特徴とする請求項１記載の通信端末装置。
【請求項３】
前記送信制御手段は、前記バッファに蓄積された送信データの蓄積量がしきい値以上の場合に、所定時間における前記ＣＱＩを送信するスロット数を増加して送信することを特徴とする請求項１記載の通信端末装置。
【請求項４】
前記送信制御手段は、許容遅延時間が短い場合に所定時間における前記ＣＱＩを送信するスロット数を増加して送信することを特徴とする請求項１記載の通信端末装置。
【請求項５】
前記送信制御手段は、受信データに含まれている区分情報に基づいて前記しきい値を設定することを特徴とする請求項３または請求項４記載の通信端末装置。
【請求項６】
前記送信制御手段は、前記所定時間における前記ＣＱＩを送信するスロットの送信パターンを、前記送信データの量あるいは送信データに関係した値に応じて変更することを特徴とする請求項１から請求項５のいずれかに記載の通信端末装置。
【請求項７】
受信データよりＣＱＩを抽出するＣＱＩ抽出手段と、前記ＣＱＩの受信スロット数を観測する観測手段と、前記ＣＱＩ抽出手段にて抽出した前記ＣＱＩ及び所定時間における前記受信スロット数に基づいてスケジューリングを行うスケジューリング手段と、前記シュケジューリング手段におけるスケジューリングにて送信データを生成するデータ生成手段と、を具備することを特徴とする基地局装置。
【請求項８】
前記スケジューリング手段は、所定時間における前記受信スロット数が増加した通信相手が優先的に送信することができるようにスケジューリングを行うことを特徴とする請求項７記載の基地局装置。
【請求項９】
前記スケジューリング手段は、前記所定時間における前記ＣＱＩの受信スロットの受信パターンを考慮してスケジューリングすることを特徴とする請求項７または請求項８記載の基地局装置。
【請求項１０】
送信データをバッファに蓄積する工程と、通信品質に応じたＣＱＩを生成する工程と、前記バッファに送信データが蓄積されている場合にのみ前記ＣＱＩを送信する工程と、を具備することを特徴とする送信方法。
【発明の詳細な説明】
【０００１】
【発明の属する技術分野】
本発明は、通信端末装置及び基地局装置に関し、特に上り回線で高速パケット伝送を行うシステムにおいて、通信端末装置から送信されたＣＱＩに基づいて基地局装置にてスケジューリングを行う通信端末装置及び基地局装置に関する。
【０００２】
【従来の技術】
従来、無線通信システムの分野において、高速大容量な下りチャネルを複数の通信端末装置が共有し、下り回線で高速パケット伝送を行うＨＳＤＰＡ（Ｈｉｇｈ　Ｓｐｅｅｄ　Ｄｏｗｎｌｉｎｋ　Ｐａｃｋｅｔ　Ａｃｃｅｓｓ）が規格化されている（例えば、特許文献１参照。）。
【０００３】
このようなＨＳＤＰＡシステムにおいては、基地局装置は、基地局装置が設定した周期にて、ＣＱＩ（Ｃｈａｎｎｅｌ　Ｑｕａｌｉｔｙ　Ｉｎｄｉｃａｔｏｒ）と呼ばれる通信端末装置において復調可能なパケットデータの変調方式及び符号化率を示す信号を通信端末装置から送信してもらう。ＣＱＩを受信した基地局装置は、各通信端末装置から送られてきたＣＱＩを用いてスケジューリングを行うとともに最適な変調方式及び符号化率等を選択する。そして、基地局装置は、選択した変調方式及び符号化率等を用いて送信データを変調及び符号化し、スケジューリング結果に基づいて各通信端末装置へデータを送信するものである。これにより、高速で大容量のデータを基地局装置から通信端末装置へ送信することができる。
【０００４】
【特許文献１】
特開２０００−１５１６２３号公報
【０００５】
【発明が解決しようとする課題】
しかしながら、従来の通信端末装置及び基地局装置においては、高速でかつ大容量のデータは、ＨＳＤＰＡシステムのような下り回線専用のシステムを用いて基地局装置から通信端末装置へ送信するものであり、このようなシステムをそのまま上り回線に適用しても、基地局装置においてデータに応じた最適なスケジューリングを行うことができないという問題がある。
【０００６】
本発明はかかる点に鑑みてなされたものであり、上り回線において、各移動局のデータに応じた最適なスケジューリングを行うことができる通信端末装置及び基地局装置を提供することを目的とする。
【０００７】
【課題を解決するための手段】
本発明の通信端末装置は、送信データを蓄積するバッファ手段と、通信品質に応じたＣＱＩを生成するＣＱＩ生成手段と、前記バッファ手段に蓄積された送信データの量あるいは送信データに関係した値に応じて前記ＣＱＩの送信を制御する送信制御手段と、を具備する構成を採る。
【０００８】
この構成によれば、送信データの量あるいはデータに関係する値に応じてＣＱＩの送信を制御するので、ＣＱＩを受信する基地局装置は、上り回線において、各移動局のデータに応じた最適なスケジューリングを行うことができる。
【０００９】
本発明の通信端末装置における前記送信制御手段は、前記バッファに送信データが蓄積されていない場合には前記ＣＱＩを送信しない構成を採る。
【００１０】
この構成によれば、バッファにデータが蓄積されていない時には、ＣＱＩを送信しないので、ＣＱＩが不必要な場合までＣＱＩを送信してしまうことを防ぐことができ、消費電力を節約することができる。
【００１１】
本発明の通信端末装置における前記送信制御手段は、前記バッファに蓄積された送信データの蓄積量がしきい値以上の場合に、所定時間における前記ＣＱＩを送信するスロット数を増加して送信する構成を採る。
【００１２】
この構成によれば、バッファに蓄積される送信データの蓄積量がしきい値以上の場合に、所定時間におけるＣＱＩを送信するスロット数を増加するので、ＣＱＩを受信する受信側において、所定時間におけるＣＱＩの受信スロット数を監視することにより、バッファから送信データがオーバフローする可能性の高い通信端末装置が優先的に送信できるようにスケジューリングを行うことができ、上り回線において、バッファからの送信データのオーバフローにより送信データを送ることができない状態を防ぐことができる。
【００１３】
本発明の通信端末装置における前記送信制御手段は、許容遅延時間が短い場合に所定時間における前記ＣＱＩを送信するスロット数を増加して送信する構成を採る。
【００１４】
この構成によれば、音声等の遅延すると相手側に通信内容が伝達できないデータの場合若しくは大容量のデータを比較的短時間で送信したい場合等の受信側にて遅延せずに受信させたいデータの場合には、所定時間におけるＣＱＩを送信するスロット数を増加し、ＣＱＩを受信する受信側において、所定時間におけるＣＱＩの受信スロット数を監視することにより、早く送信する必要がある送信データを有する通信端末装置が優先的に送信することができるようにスケジューリングを行うことができる。
【００１５】
本発明の通信端末装置における前記送信制御手段は、受信データに含まれている区分情報に基づいて前記しきい値を設定する構成を採る。
【００１６】
この構成によれば、受信データに含まれている区分情報に基づいて、しきい値を設定するので、他の移動機における送信データ量若しくは許容遅延時間を考慮してＣＱＩを送信することができ、基地局装置は、さらに細かく優先度を知ることができ、より効率的なスケジューリングが可能となる。
【００１７】
本発明の通信端末装置における前記送信制御手段は、前記所定時間における前記ＣＱＩを送信するスロットの送信パターンを、前記送信データの量あるいは送信データに関係した値に応じて変更する構成を採る。
【００１８】
この構成によれば、バッファ手段に蓄積された送信データの量あるいは送信データに関する情報に応じて、送信パターンを決めて送信することにより、基地局装置ではそのパターンに応じて、よりきめ細かなスケジューリングが可能となる。
【００１９】
本発明の基地局装置は、受信データよりＣＱＩを抽出するＣＱＩ抽出手段と、前記ＣＱＩの受信スロット数を観測する観測手段と、前記ＣＱＩ抽出手段にて抽出した前記ＣＱＩ及び所定時間における前記受信スロット数に基づいてスケジューリングを行うスケジューリング手段と、前記シュケジューリング手段におけるスケジューリングにて送信データを生成するデータ生成手段と、を具備する構成を採る。
【００２０】
この構成によれば、所定時間におけるＣＱＩの受信スロット数を監視し、所定時間におけるＣＱＩの受信スロット数の増減に応じて基地局装置にてスケジューリングを行うことができるため、上り回線において、各移動局のデータに応じた最適なスケジューリングを行うことができる。
【００２１】
本発明の基地局装置における前記スケジューリング手段は、所定時間における前記受信スロット数が増加した通信相手が優先的に送信することができるようにスケジューリングを行う構成を採る。
【００２２】
この構成によれば、所定時間におけるＣＱＩの受信スロット数を監視し、所定時間におけるＣＱＩの受信スロット数が増加した通信端末装置が優先的に送信することができるようにスケジューリングを行うため、上り回線において、早く送信する必要があるデータを有している通信端末装置が優先的にデータを送信することができる。
【００２３】
本発明の基地局装置における前記スケジューリング手段は、前記所定時間における前記ＣＱＩの受信スロットの受信パターンを考慮してスケジューリングする構成を採る。
【００２４】
この構成によれば、基地局装置において、上り回線における送信の優先度を受信スロットの受信パターンより考慮することができるので、よりきめ細かなスケジューリングが可能となる。
【００２５】
本発明の送信方法は、送信データをバッファに蓄積する工程と、通信品質に応じたＣＱＩを生成する工程と、前記バッファに送信データが蓄積されている場合にのみ前記ＣＱＩを送信する工程と、を具備することである。
【００２６】
この方法によれば、バッファにデータが蓄積されていない時には、ＣＱＩを送信せず、バッファにデータが蓄積された場合にのみＣＱＩを送信するので、上り回線において、各移動局のデータに応じた最適なスケジューリングを行うことができる。
【００２７】
【発明の実施の形態】
本発明の骨子は、通信端末装置において、送信データがバッファに蓄積された場合はＣＱＩを送信し、送信データがバッファにない場合はＣＱＩを送信しないことである。また、通信端末装置において、バッファに蓄積される送信データがしきい値以上になってオーバフローしそうな場合若しくはバッファに蓄積される送信データが残り僅かで早く送信を終了してしまいたい場合は、一時的に送信スロット数を増加させ、基地局装置はＣＱＩ送信割り当て単位時間におけるＣＱＩの受信スロット数が増加した移動機に優先的に送信を割り当てるスケジューリングを行うことである。また、通信端末装置において、バッファに蓄積される送信データの許容遅延時間が少ない場合は、一時的に送信スロット数を増加させ、基地局装置はＣＱＩ送信割り当て単位時間におけるＣＱＩの受信スロット数が増加した移動機が優先的に送信できるようなスケジューリングを行うことである。
【００２８】
以下、本発明の実施の形態について、図面を参照して詳細に説明する。
【００２９】
（実施の形態１）
図１は、本実施の形態に係る通信端末装置である移動機１００の構成を示す図であり、図２は、基地局装置２００の構成を示す図である。
【００３０】
移動機１００は、アンテナ１０１、受信無線部１０２、逆拡散部１０３、復調部１０４、チャネルコーディング部１０５、バッファ１０６、ＣＱＩ生成部１０７、基地局情報抽出部１０８、チャネルコーディング部１０９、変調部１１０、拡散部１１１及び送信無線部１１２とから主に構成にされる。
【００３１】
基地局装置２００は、アンテナ２０１、受信無線部２０２、逆拡散部２０３、復調部２０４−１〜２０４−ｎ、チャネルコーディング部２０５−１〜２０５−ｎ、ＣＱＩ抽出部２０６、条件設定部２０７、チャネルコーディング部２０９−１〜２０９−ｎ、変調部２１０−１〜２１０−ｎ、拡散部２１１−１〜２１１−ｎ及び送信無線部２１２とから主に構成される。
【００３２】
最初に、移動機１００の構成について、図１を用いて説明する。受信無線部１０２は、アンテナ１０１にて受信した受信信号に対して、無線周波数からベースバンド周波数へダウンコンバート等の処理を行って逆拡散部１０３へ出力する。
【００３３】
逆拡散部１０３は、受信無線部１０２から入力した受信信号に対して、拡散処理する際に用いた拡散符号と同一の拡散符号を用いて逆拡散処理を施し、復調部１０４へ出力する。
【００３４】
復調部１０４は、逆拡散部１０３から入力した受信信号を復調してチャネルコーディング部１０５へ出力する。
【００３５】
チャネルコーディング部１０５は、復調部１０４から入力した受信信号を復号化して移動機毎の受信データをえるとともに、復号化した受信データを基地局情報抽出部１０８へ出力する。
【００３６】
バッファ１０６は、送信データを一時的に蓄積し、蓄積された送信データをチャネルコーディング部１０９へ出力する。また、バッファ１０６は、送信データの蓄積があった場合は、送信データが蓄積された旨をＣＱＩ送信制御部１１３へ出力する。
【００３７】
ＣＱＩ生成部１０７は、ＣＱＩ送信制御部１１３から制御信号が入力した場合には、品質情報に基づいてＣＱＩを生成して、生成したＣＱＩをチャネルコーディング部１０９へ出力する。なお、品質情報は、送信電力制御されている制御チャネルの送信電力等を用いる。
【００３８】
基地局情報抽出部１０８は、チャネルコーディング部１０５から入力した受信データよりスケジューリング情報及び送信パラメータ情報を抽出し、変調部１１０及びチャネルコーディング部１０９へ出力する。ここで、送信パラメータ情報とは、移動機１００にて送信データを生成する際に用いる変調方式及び符号化率等の情報であり、基地局装置２００にて算出して送られてきたものである。また、スケジューリング情報とは、送信が許可された移動機を示す情報であり、基地局装置が設定したものである。
【００３９】
チャネルコーディング部１０９は、バッファ１０６から入力した送信データ及びＣＱＩ生成部１０７から入力したＣＱＩを、基地局情報抽出部１０８から入力した送信パラメータ情報及びスケジューリング情報に基づいて符号化し、変調部１１０へ出力する。なお、チャネルコーディング部１０９は、スケジューリングにより送信が許可された場合のみ送信データを出力し、送信が許可されていない場合は送信データを出力しない。
【００４０】
変調部１１０は、チャネルコーディング部１０９から入力した送信データを基地局情報抽出部１０８から入力した送信パラメータ情報に基づいた変調方式により変調し、拡散部１１１へ出力する。
【００４１】
拡散部１１１は、変調部１１０から入力した送信データに対して、拡散符号を用いて拡散処理を施して送信無線部１１２へ出力する。
【００４２】
送信無線部１１２は、拡散部１１１から入力した送信データに対して、ベースバンド周波数から無線周波数へアップコンバート等の処理を施してアンテナ１０１より送信する。
【００４３】
ＣＱＩ送信制御部１１３は、バッファ１０６から送信データが蓄積された旨の信号が入力した場合は、ＣＱＩを生成する旨の制御信号をＣＱＩ生成部１０７へ出力する。
【００４４】
次に、基地局装置２００の構成について、図２を用いて説明する。受信無線部２０２は、アンテナ２０１にて受信した受信信号に対して、無線周波数からベースバンド周波数へダウンコンバート等の処理を行って逆拡散部２０３へ出力する。
【００４５】
逆拡散部２０３は、受信無線部２０２から入力した受信信号に対して、拡散処理する際に用いた拡散符号と同一の拡散符号を用いて逆拡散処理を施し、復調部２０４−１〜２０４−ｎへ出力する。
【００４６】
復調部２０４−１〜２０４−ｎは、逆拡散部２０３から入力した受信信号を復調してチャネルコーディング部２０５−１〜２０５−ｎへ出力する。
【００４７】
チャネルコーディング部２０５−１〜２０５−ｎは、復調部２０４−１〜２０４−ｎから入力した受信信号を復号化して移動機毎の受信データをえるとともに、復号化した受信データをＣＱＩ抽出部２０６へ出力する。
【００４８】
ＣＱＩ抽出部２０６は、チャネルコーディング部２０５−１〜２０５−ｎから入力した受信データより、各移動機１００から送信されたＣＱＩを抽出し、抽出したＣＱＩを条件設定部２０７へ出力する。
【００４９】
条件設定部２０７は、ＣＱＩ抽出部２０６から入力したＣＱＩに基づいて送信パラメータを決定するとともにスケジューリングを行って、送信パラメータ情報及びスケジューリング情報をチャネルコーディング部２０９−１〜２０９−ｎへ出力する。
【００５０】
チャネルコーディング部２０９−１〜２０９−ｎは、条件設定部２０７から入力した送信パラメータ情報及びスケジューリング情報を符号化し、変調部２１０−１〜２１０−ｎへ出力する。この時に、チャネルコーディング部２０９−１〜２０９−ｎは、スケジューリングによる送信対象の移動機へおくる送信パラメータ情報を符号化し出力するか、若しくは全移動局が共通で受信する制御チャネルで送る場合は、特定のチャネル用の送信パラメータ情報として符号化し出力する。なお、チャネルコーディング部２０９−１〜２０９−ｎに入力した送信データは、送信パラメータ情報及びスケジューリング情報とは別に符号化される。
【００５１】
変調部２１０−１〜２１０−ｎは、チャネルコーディング部２０９−１〜２０９−ｎから入力した送信データを変調して拡散部２１１−１〜２１１−ｎへ出力する。
【００５２】
拡散部２１１−１〜２１１−ｎは、変調部２１０−１〜２１０−ｎから入力した送信データに対して、拡散符号を用いて拡散処理を施して送信無線部２１２へ出力する。
【００５３】
送信無線部２１２は、拡散部２１１−１〜２１１−ｎから入力した送信データをベースバンド周波数から無線周波数にアップコンバート等の処理を行ってアンテナ２０１より送信する。
【００５４】
次に、移動機１００の動作について、図３のフロー図を用いて説明する。ＣＱＩ送信制御部１１３は、バッファ１０６に送信データの蓄積があるか否かを判定する（ステップ（以下「ＳＴ」と記載する）３０１）。バッファ１０６に送信データの蓄積があった場合は、ＣＱＩ送信制御部１１３よりＣＱＩ生成部１０７へＣＱＩを作成する旨の制御信号が出力され、ＣＱＩ生成部１０７にてＣＱＩが作成される（ＳＴ３０２）。一方、ＳＴ３０１において、ＣＱＩ送信制御部１１３が、バッファ１０６に送信データの蓄積がないと判定した場合は、ＣＱＩ送信制御部１１３はＣＱＩ生成部１０７へは制御信号は出力せず、ＣＱＩ生成部１０７はＣＱＩの生成を行わない。次に、チャネルコーディング部１０９は、作成したＣＱＩを符号化し、変調部１１０にて変調して、拡散部１１１にて拡散処理を施して、送信無線部１１２にてベースバンド周波数から無線周波数へアップコンバート等の処理を行ってアンテナ１０１よりＣＱＩを送信する（ＳＴ３０３）。
【００５５】
このように、本実施の形態の通信端末装置及び基地局装置によれば、送信データがバッファに蓄積された場合はＣＱＩを送信し、送信データがバッファにない場合はＣＱＩを送信しないので、移動機に送信したいデータがある場合に基地局装置においてＣＱＩに基づいたスケジューリングを行うことができ、上り回線において、各移動局のデータに応じた最適なスケジューリングを行うことができる。また、送信するデータがある場合にのみＣＱＩを送信するので、消費電力を低減することができる。
【００５６】
なお、本実施の形態においては、バッファに送信データの蓄積があった場合に、蓄積量に関わりなくＣＱＩを送信制御することとしたが、バッファに送信データの蓄積があった場合には全てＣＱＩを送信制御する場合に限らず、バッファに蓄積される送信データの蓄積量がしきい値以上になった場合に、ＣＱＩを送信制御するようにしても良い。
【００５７】
（実施の形態２）
図４は、本実施の形態に係る基地局装置４００の構成を示す図であり、図５は、条件設定部４０２の構成を示す図である。本実施の形態においては、移動機１００において、バッファに蓄積されるデータ量に応じてＣＱＩの送信スロット数を増減させる点を特徴とするものである。本実施の形態においては、図４において報告タイミング観測部４０１を設ける構成が図２と相違している。なお、移動機の構成は、図１と同一であるためその説明は省略する。また、図４において、図２と同一構成の部分は同一の符号を付してその説明を省略する。
【００５８】
移動機１００のＣＱＩ送信制御部１１３は、バッファ１０６から入力したバッファに蓄積されている送信データの蓄積量としきい値とを比較し、蓄積量がしきい値以上の場合は、ＣＱＩ送信割り当て単位時間において通常のＣＱＩの送信スロット数よりもスロット数を増加させるための制御信号をＣＱＩ生成部１０７へ出力する。また、ＣＱＩ送信制御部１１３は、バッファ１０６からバッファ１０６におけるデータ蓄積量以外の送信データに関係する値を受け取り、その値に応じた送信スロットの送信パターンにてＣＱＩを送信するように制御する。送信スロットの送信パターンは、ＣＱＩ送信割り当て単位時間におけるＣＱＩの送信スロット数は変えずに、送信パターンのみを変えるものである。ここで、データに関係する値とは、音声データまたは画像データ等のデータの種類、ＱｏＳ（Ｑｕｏｌｉｔｙ　ｏｆ　Ｓｅｒｖｉｃｅｓ）や再送回数等の何らかのデータに関する情報に基づいた値である。なお、ＣＱＩ送信割り当て単位時間及びＣＱＩ送信割り当て単位時間におけるＣＱＩの送信スロット数を増減する方法については後述する。
【００５９】
ＣＱＩ生成部１０７は、ＣＱＩ送信制御部１１３から入力した制御信号及び品質情報に基づいて、ＣＱＩを生成してチャネルコーディング部１０９へ出力する。また、ＣＱＩ生成部１０７は、ＣＱＩ送信制御部１１３から入力した制御信号に基づいて、優先度に応じた送信スロットの送信パターンにてＣＱＩを生成する。
【００６０】
次に、基地局装置４００の構成について、図４を用いて説明する。報告タイミング観測部４０１は、受信スロット数を、ＣＱＩ送信割り当て単位時間における受信スロット数に応じて区分し、各移動機１００がいずれの区分に属するかを判定し、各移動機１００が属する区分を条件設定部４０２へ出力する。また、報告タイミング観測部４０１は、ＣＱＩの受信スロットのＣＱＩ送信割り当て単位時間における受信タイミングを条件設定部４０２へ出力する。
【００６１】
条件設定部４０２は、ＣＱＩ抽出部２０６から入力したＣＱＩ、報告タイミング観測部４０１から入力した区分情報及びＣＱＩ送信割り当て単位時間におけるＣＱＩの受信スロットの受信パターンより、スケジューリングを行うとともに送信パラメータを決定して、スケジューリング情報及び送信パラメータ情報をチャネルコーディング部２０９−１〜２０９−ｎへ出力する。
【００６２】
次に、条件設定部４０２の構成について、図５を用いて説明する。条件設定部４０２は、スケジューラ５０１及び送信パラメータ設定部５０２とから主に構成される。
【００６３】
スケジューラ５０１は、ＣＱＩ抽出部２０６から入力したＣＱＩ、報告タイミング観測部４０１から入力した区分情報と受信タイミング情報及び送信パラメータ設定部５０２から入力した送信パラメータ情報より、送信データを送信する移動機を決定し、送信を許可した移動局を示すスケジューリング情報をチャネルコーディング部２０９−１〜２０９−ｎへ出力する。スケジューラ５０１は、ＣＱＩ送信割り当て単位時間におけるＣＱＩの受信スロット数が多い移動機１００は早く送信したい送信データを有していると判断し、スケジューリングにおいて、そのような早く送信したい送信データを有している移動機１００が他の移動機１００よりも優先して送信できるように考慮する。
【００６４】
送信パラメータ設定部５０２は、ＣＱＩ抽出部２０６から入力したＣＱＩに基づいて変調方式及び符号化率を決定し、決定した変調方式及び符号化率を送信パラメータ情報としてチャネルコーディング部２０９−１〜２０９−ｎへ出力する。なお、送信パラメータは、符号化率と変調方式に限らず、多重コード数等の他のパラメータであっても良い。
【００６５】
次に、ＣＱＩ送信割り当て単位時間及びＣＱＩ送信割り当て単位時間におけるＣＱＩの送信スロット数を変更する方法について、例として図６を用いて説明する。
【００６６】
図６の（ａ）は、ＣＱＩ送信割り当て単位時間において、通常のＣＱＩ送信スロット数にて送信する場合を示した図であり、斜線で示すように、１スロット目、５スロット目、・・・というように、３スロット間隔にてＣＱＩを送信する。したがって、通常のＣＱＩ送信スロット数にて送信する場合は、４スロット毎に１スロットだけＣＱＩを送信する。ここで、図６（ａ）の通常のＣＱＩ送信スロット数に対して図６（ｂ）、図６（ｃ）のようにＣＱＩ送信スロット数を増加させた場合において、ＣＱＩ送信割り当て単位時間は、４スロット単位で区切られる時間である。ただし、ＣＱＩ送信割り当て単位時間は、４スロット単位で区切る場合に限らず、任意のスロット単位で区切る時間にすることができる。
【００６７】
ＣＱＩの送信スロット数を変更する第１の方法は、図６（ｂ）に斜線で示すように、１スロット目、２スロット目、５スロット目、６スロット目、・・・というように、２つのＣＱＩを連続で送信するスロットと２つのＣＱＩを連続で送信しないスロットとを繰り返す場合である。したがって、ＣＱＩの送信スロット数を変更する第１の方法においては、４スロット毎に４スロットの最初の２スロットで連続してＣＱＩを送信する。
【００６８】
ＣＱＩの送信スロット数を変更する第２の方法は、図６（ｃ）に斜線で示すように、１スロット目、３スロット目、５スロット目、７スロット目、・・・というように、１つおきにＣＱＩを送信する場合である。したがって、ＣＱＩの送信スロット数を変更する第２の方法においては、４スロット毎に１スロット間隔にてＣＱＩを送信する。
【００６９】
ここで、図６（ｂ）と図６（ｃ）において、ＣＱＩ送信割り当て単位時間におけるＣＱＩ送信スロット数は同じであるが、ＣＱＩ送信割り当て単位時間におけるＣＱＩ送信スロットのパターンは異なるものである。このように、移動機において、送信データの優先度に関する情報に応じて送信パターンを変えることによって、基地局装置において送信パターンを考慮してスケジューリングを行うことができる。
【００７０】
次に、移動機１００の動作について、図７を用いて説明する。最初に、バッファ１０６に残っているデータが残り僅かである場合は、早く送信を終了するようにスケジューリングを行ってもらう場合について説明する。ＣＱＩ送信制御部１１３は、バッファ１０６から入力した送信データの蓄積量としきい値とを比較し（ＳＴ７０１）、データ蓄積量がしきい値より大きい場合は、全ての送信データを送信し終えるまでにはまだ長い時間が必要であるため、ＣＱＩ送信割り当て単位時間において、通常のＣＱＩの送信スロット数にてＣＱＩを作成させるようにＣＱＩを作成させる指示信号をＣＱＩ生成部１０７へ出力し、ＣＱＩ生成部１０７はＣＱＩを作成して、チャネルコーディング部１０９へ出力する（ＳＴ７０２）。一方、バッファ１０６から入力したデータ蓄積量がしきい値以下の場合は、それを通知するため、ＣＱＩ送信割り当て単位時間において、通常のＣＱＩの送信スロット数よりも送信スロット数を増加させるように、ＣＱＩを作成させる指示信号をＣＱＩ生成部１０７へ出力し、ＣＱＩを作成させる指示信号を入力されたＣＱＩ生成部１０７はＣＱＩを作成してチャネルコーディング部１０９へ出力する（ＳＴ７０３）。また、ＣＱＩ送信制御部１１３は、送信データに関係する値に応じたＣＱＩ送信割り当て単位時間におけるＣＱＩの送信スロットの送信パターンにてＣＱＩを作成する制御信号をＣＱＩ生成部１０７へ出力し、ＣＱＩ生成部１０７は、ＣＱＩ送信制御部１１３からの制御信号に基づいてＣＱＩを作成する。次に、チャネルコーディング部１０９は、作成したＣＱＩを符号化し、変調部１１０にて適応変調して、拡散部１１１にて拡散処理を施して、送信無線部１１２にてベースバンド周波数から無線周波数へアップコンバート等の処理を行ってアンテナ１０１よりＣＱＩを送信する（ＳＴ７０４）。
【００７１】
続いて、バッファ１０６に蓄積されている送信データが、オーバフローしないようにスケジューリングを行う場合の移動機１００の動作について、図８を用いて説明する。ＣＱＩ送信制御部１１３は、バッファ１０６から入力した送信データの蓄積量としきい値とを比較し（ＳＴ８０１）、データ蓄積量がしきい値未満の場合は、バッファ１０６から送信データがオーバフローしないため、ＣＱＩ送信割り当て単位時間において、通常のＣＱＩの送信スロット数のタイミング情報をＣＱＩ生成部１０７へ出力し、ＣＱＩ生成部１０７はＣＱＩを生成してチャネルコーディング部１０９へ出力する（ＳＴ８０２）。一方、バッファ１０６から入力したデータのデータ蓄積量がしきい値以上の場合は、バッファ１０６から送信データがオーバフローする可能性があるため、送信制御部１１７は、ＣＱＩ送信割り当て単位時間において、通常のＣＱＩの送信スロット数を増やしたスロット数のタイミング情報をＣＱＩ生成部１０７へ出力し、ＣＱＩ生成部１０７はＣＱＩを作成してチャネルコーディング部１０９へ出力する（ＳＴ８０３）。また、ＣＱＩ送信制御部１１３は、送信データに関係した値に応じたＣＱＩ送信割り当て単位時間におけるＣＱＩの送信スロットの送信パターンにてＣＱＩを作成する制御信号をＣＱＩ生成部１０７へ出力し、ＣＱＩ生成部１０７は、ＣＱＩ送信制御部１１３からの制御信号に基づいてＣＱＩを作成する。次に、チャネルコーディング部１０９は、作成したＣＱＩを符号化し、変調部１１０にて変調して、拡散部１１１にて拡散処理を施して、送信無線部１１２にてベースバンド周波数から無線周波数へアップコンバート等の処理を行ってアンテナ１０１よりＣＱＩを送信する（ＳＴ８０４）。
【００７２】
次に、基地局装置４００の動作について、図９を用いて説明する。基地局装置４００は、各移動機１００の受信データについて、ＣＱＩ抽出部２０６にて受信信号からＣＱＩを抽出し、報告タイミング観測部４０１にてＣＱＩのＣＱＩ送信割り当て単位時間におけるＣＱＩの受信スロット数をしきい値と比較する（ＳＴ９０１）。比較した結果、ＣＱＩの受信スロット数がしきい値以下であれば、通常のスケジューリングを行う（ＳＴ９０２）。一方、ＳＴ９０１において、ＣＱＩの受信スロット数がしきい値より大きい場合は、優先的なスケジューリングを考慮する（ＳＴ９０３）。なお、ＳＴ９０１にて比較するしきい値は、通常のスケジューリングを行うか優先的なスケジューリングを考慮するかを決めるためのものであり、優先的なスケジューリングを考慮することが決定された場合には、その中でさらに優先度に応じてしきい値を設けて、段階的に各移動機についての優先度を設定する。次に、スケジューリング結果をスケジューリング情報として送信するする（ＳＴ９０４）。
【００７３】
このように、本実施の形態の通信端末装置及び基地局装置によれば、移動機は、送信データ量に応じてＣＱＩ送信割り当て単位時間におけるＣＱＩの送信スロット数を変更し、基地局装置は、ＣＱＩ送信割り当て単位時間にＣＱＩが送信されてくるスロット数を測定することにより移動機における送信データ量を推定することができ、その推定結果をスケジューリングの際に考慮することができるので、上り回線において、各移動局のデータに応じた最適なスケジューリングを行うことができる。また、上り回線において、効率的にリソースを使用してデータを送信することができる。また、データの送信に関係する値に応じてＣＱＩ送信割り当て単位時間におけるＣＱＩの送信スロットの送信パターンを変えるので、よりきめ細かなスケジューリングを行うことができるとともに、ＣＱＩの送信回数を減らさなくても良いため、基地局装置はスケジューリングを行う際に充分なＣＱＩをもらうことができ、伝搬路状態に応じた高速で大容量の通信を行うことができる。
【００７４】
なお、本実施の形態においては、送信スロット数と送信パターンを用いて送信データに関する情報を間接的に伝えているが、送信スロット数と送信パターンのいずれか片方のみを使用しても良い。
【００７５】
（実施の形態３）
図１０は、本実施の形態に係る移動機１０００の構成を示す図である。本実施の形態においては、移動機１０００において、遅延許容時間に応じてＣＱＩ送信割り当て単位時間におけるＣＱＩの送信スロット数を変化させる点を特徴とするものである。本実施の形態においては、図１０において許容遅延時間情報生成部１００１を設ける構成が図１と相違している。なお、図１と同一構成の部分は同一の符号を付してその説明を省略する。また、基地局装置の構成は、図４と同一構成であるため、その説明は省略する。
【００７６】
最初に、移動機１０００の構成について、図１０を用いて説明する。ＣＱＩ送信制御部１１３は、許容遅延時間情報生成部１００１から入力した許容遅延時間情報としきい値とを比較する。そして、許容遅延時間がしきい値以上の場合は、ＣＱＩ送信制御部１１３は、ＣＱＩ送信割り当て単位時間における通常のＣＱＩの送信スロット数にてＣＱＩを生成する制御信号をＣＱＩ生成部１０７へ出力する。一方、許容遅延時間がしきい値未満の場合には、ＣＱＩ送信制御部１１３は、ＣＱＩ送信割り当て単位時間においてＣＱＩの送信スロット数を増やしてＣＱＩを生成するような制御信号をＣＱＩ生成部１０７へ出力する。また、ＣＱＩ送信制御部１１３は、許容遅延時間以外の送信データに関係する情報を受け取り、その情報に応じた送信スロットの送信パターンにてＣＱＩを送信するように制御する。送信スロットの送信パターンは、ＣＱＩ送信割り当て単位時間におけるＣＱＩの送信スロット数は変えずに、送信パターンのみを変えるものである。
【００７７】
許容遅延時間情報生成部１００１は、バッファ１０６から入力したバッファに蓄積されるデータによって決まる許容遅延時間を決定して、決定した許容遅延時間を許容遅延時間情報としてＣＱＩ送信制御部１１３へ出力する。ここで、許容遅延時間とは、送信しなければいけない時間、あるいは送信しておきたい時間までに残された時間である。
【００７８】
送りたいデータの種類が、音声等のように受信側が通信の途中で遅延して受信すると受信相手に通信内容が伝達できなくなるようなものである場合許容遅延時間は短い。
【００７９】
次に、移動機１０００の動作について、図１１を用いて説明する。ＣＱＩ送信制御部１１３は、許容遅延時間としきい値を比較して（ＳＴ１１０１）、許容遅延時間がしきい値以上の場合は、ＣＱＩ送信割り当て単位時間において、通常のＣＱＩの送信スロット数にてＣＱＩを作成する制御信号を出力する。次に、ＣＱＩ生成部１０７は、ＣＱＩを生成する（ＳＴ１１０２）。一方、ＳＴ１１０１において、各許容遅延時間がしきい値未満の場合は、ＣＱＩ送信制御部１１３は、ＣＱＩ送信割り当て単位時間におけるＣＱＩの送信スロット数を増加させてＣＱＩを作成させる制御信号をＣＱＩ生成部１０７へ出力する、次に、ＣＱＩ生成部１０７は、ＣＱＩを作成する（ＳＴ１１０３）。
【００８０】
ＣＱＩ送信制御部１１３は、送信データに関係した値に応じたＣＱＩ送信割り当て単位時間におけるＣＱＩの送信スロットの送信パターンにてＣＱＩを生成する制御信号をＣＱＩ生成部１０７へ出力し、ＣＱＩ生成部１０７は、ＣＱＩ送信制御部１１３からの制御信号に基づいてＣＱＩを生成する。次に、ＣＱＩ生成部１０７は、生成したＣＱＩをチャネルコーディング部１０９へ出力し、チャネルコーディング部１０９は、作成したＣＱＩを符号化し、変調部１１０にて適応変調して、拡散部１１１にて拡散処理を施して、送信無線部１１２にてベースバンド周波数から無線周波数へアップコンバート等の処理を行ってアンテナ１０１よりＣＱＩを送信する（ＳＴ１１０４）。なお、基地局装置の動作は、上記実施の形態２における基地局装置２００と同一であるため、その説明は省略する。
【００８１】
このように、本実施の形態の通信端末装置及び基地局装置によれば、移動機は、許容遅延時間に基づいて、ＣＱＩ送信割り当て単位時間におけるＣＱＩの送信スロット数を変更し、基地局装置は、ＣＱＩ送信割り当て単位時間にＣＱＩが送信されてくるスロット数を測定することにより移動機におけるデータの許容遅延時間を推定することができ、その推定結果をスケジューリングの際に考慮することができるので、上り回線において、各移動局のデータに応じた最適なスケジューリングを行うことができる。また上り回線において、効率的にリソースを使用してデータを送信することができる。また、データの送信に関係する値に応じてＣＱＩ送信割り当て単位時間におけるＣＱＩの送信スロットの送信パターンを変えるので、よりきめ細かなスケジューリングを行うことができるとともに、ＣＱＩの送信回数を減らさなくても良いため、基地局装置はスケジューリングを行う際に充分なＣＱＩをもらうことができ、伝搬路状態に応じた高速で大容量の通信を行うことができる。
【００８２】
なお、本実施の形態においては、送信スロット数と送信パターンを用いて送信データに関する情報を間接的に伝えているが、送信スロット数と送信パターンのいずれか片方のみを使用しても良い。
【００８３】
（実施の形態４）
図１２は、本実施の形態に係る移動機１２００の構成を示す図であり、図１３は、本実施の形態に係る基地局装置１３００の構成を示す図であり、図１４は、ＣＱＩ送信制御部１２０３の構成を示す図であり、図１５は、報告タイミング制御信号生成部１３０３の構成を示す図である。本実施の形態においては、多数の移動機１２００において、バッファ１０６に蓄積された送信データ量が同じくらいである場合に、バッファ１０６に蓄積された送信データ量と比較するしきい値を変更して、送信データ量が同じくらいの移動機１２００に対してさらにきめ細かなスケジューリングを行えるようにＣＱＩを報告させる点を特徴とするものである。本実施の形態においては、図１２において報告タイミング制御信号抽出部１２０１及び報告タイミング制御指示部１２０２を設ける構成が図１と相違しており、図１３において報告タイミング観測部１３０１及び報告タイミング制御信号生成部１３０３を設ける構成が図２と相違している。なお、図１及び図２と同一構成の部分は同一の符号を付してその説明を省略する。
【００８４】
最初に、移動機１２００の構成について、図１２を用いて説明する。ＣＱＩ送信制御部１２０３は、報告タイミング制御指示部１２０２から入力したしきい値を設定するための指示信号に基づいてしきい値を設定する。そして、ＣＱＩ送信制御部１２０３は、バッファ１０６から入力したバッファに蓄積されている送信データの蓄積量と設定したしきい値とを比較し、蓄積量がしきい値以上の場合は、ＣＱＩ送信割り当て単位時間において通常のＣＱＩの送信スロット数よりもスロット数を増加させるようにＣＱＩを作成させる制御信号をＣＱＩ生成部１０７へ出力する。また、ＣＱＩ送信制御部１２０３は、バッファ１０６からバッファ１０６におけるデータ蓄積量以外の送信データに関係する情報を受け取り、優先度に応じた送信スロットの送信パターンにてＣＱＩを送信するように制御する。送信スロットの送信パターンは、ＣＱＩ送信割り当て単位時間におけるＣＱＩの送信スロット数は変えずに、送信パターンのみを変えるものである。
【００８５】
報告タイミング制御信号抽出部１２０１は、チャネルコーディング部１０５から入力した受信データより、受信データに含まれている区分情報を抽出して、報告タイミング制御指示部１２０２へ出力する。
【００８６】
報告タイミング制御指示部１２０２は、報告タイミング制御信号抽出部１２０１から入力した区分情報に基づいて、ＣＱＩ送信制御部１２０３にてバッファ１０６に蓄積されている送信データ量と比較するためのしきい値を決定し、決定したしきい値情報をＣＱＩ送信制御部１２０３へ出力する。
【００８７】
次に、基地局装置１３００の構成について、図１３を用いて説明する。観測手段である報告タイミング観測部１３０１は、ＣＱＩ抽出部２０６から入力したＣＱＩ送信割り当て単位時間におけるＣＱＩの受信スロット数を測定し、測定した受信スロット数をタイミング情報として条件設定部１３０２へ出力する。
【００８８】
報告タイミング観測部１３０１は、受信スロット数を、ＣＱＩ送信割り当て単位時間における受信スロット数に応じて区分し、各移動機１２００がいずれの区分に属するかを判定し、各移動機１２００が属する区分を報告タイミング制御信号生成部１３０３へ出力する。また、報告タイミング観測部１３０１は、報告タイミング制御信号生成部１３０３の制御により、区分毎のしきい値を変更することも可能である。また、報告タイミング観測部１３０１は、ＣＱＩ送信割り当て単位時間におけるＣＱＩの受信スロット数の受信パターンを条件設定部１３０２へ出力する。
【００８９】
条件設定部１３０２は、ＣＱＩ抽出部２０６から入力したＣＱＩ、報告タイミング観測部１３０１から入力したＣＱＩ送信割り当て単位時間におけるＣＱＩの受信スロット数及び報告タイミング観測部１３０１から入力したＣＱＩ送信割り当て単位時間におけるＣＱＩの受信スロットの受信パターンを用いて、送信パラメータを決定するとともにスケジューリングを行って、チャネルコーディング部２０９−１〜２０９−ｎへ出力する。
【００９０】
報告タイミング制御信号生成部１３０３は、ＣＱＩを報告させる回数やタイミングを変える区分を示す情報をチャネルコーディング部２０９−１〜２０９−ｎへ出力する。また、同時に報告タイミング制御信号生成部１３０３は、報告タイミング観測部１３０１へ、区分毎のしきい値の変更を行うように信号を出力する。例えば、移動機１２００が、同一の区分に集中してしまった場合には、報告タイミング制御信号生成部１３０３は、その集中した区分をさらに細分化する制御を行うことで次に優先してスケジューリングする移動機１２００を判断することが可能である。
【００９１】
チャネルコーディング部２０９−１〜２０９−ｎは、条件設定部１３０２から入力した送信パラメータ情報及びスケジューリング情報、報告タイミング制御信号生成部１３０３から入力した区分情報を符号化し、変調部２１０−１〜２１０−ｎへ出力する。この時に、チャネルコーディング部２０９−１〜２０９−ｎは、スケジューリングによる送信対象の移動機へおくる送信パラメータ情報を符号化し出力するか、若しくは全移動局が共通で受信する制御チャネルで送る場合は、特定のチャネル用の送信パラメータ情報として符号化し出力する。なお、移動機１２００の動作は、ＣＱＩ送信制御部１２０３において設定されるしきい値を基地局装置１３００から送信される区分情報に基づいて設定する以外は上記実施の形態２における図７及び図８と同一であるため、その説明は省略する。
【００９２】
次に、ＣＱＩ送信制御部１２０３の構成について、図１４を用いて説明する。ＣＱＩ送信制御部１２０３は、しきい値設定部１４０１及びＣＱＩ送信タイミング設定部１４０２とから主に構成される。
【００９３】
しきい値設定部１４０１は、報告タイミング制御指示部１２０２から入力したしきい値を設定するための指示信号に基づいて、区分毎のしきい値を設定する。しきい値の設定は、指示信号がしきい値を変更する旨の指示信号である場合はしきい値を変更して設定し、指示信号がしきい値を変更しない旨の指示信号である場合はしきい値を変更せずに設定する。しきい値設定部１４０１にて設定した区分毎のしきい値は、報告タイミング観測部１３０１の区分毎のしきい値と同一となるように設定される。そして、しきい値設定部１４０１は、設定したしきい値をＣＱＩ送信タイミング設定部１４０２へ出力する。
【００９４】
ＣＱＩ送信タイミング設定部１４０２は、しきい値設定部１４０１から入力したしきい値とバッファ１０６から入力した送信データの蓄積量とを比較し、送信データの蓄積量が属する区分のＣＱＩの送信スロットに応じて送信する制御信号をＣＱＩ生成部１０７へ出力する。また、ＣＱＩ送信タイミング設定部１４０２は、バッファ１０６から入力したデータの送信に関係する情報に基づいて、ＣＱＩを生成する指示信号をＣＱＩ生成部１０７へ出力する。
【００９５】
次に、報告タイミング制御信号生成部１３０３の構成について、図１５を用いて説明する。報告タイミング制御信号生成部１３０３は、分布判定部１５０１、変更決定部１５０２及び区分変更部１５０３とから主に構成される。
【００９６】
分布判定部１５０１は、報告タイミング観測部１３０１から入力した各移動機１２００からのＣＱＩ送信割り当て単位時間におけるＣＱＩの受信スロット数が属する区分に基づいて、移動機１２００が集中している区分があるか否か及び優先度の高い区分に属する移動機１２００があるか否かを判定する。そして、分布判定部１５０１は、判定結果を変更決定部１５０２へ出力する。
【００９７】
変更決定部１５０２は、分布判定部１５０１から入力した判定結果に基づいて、決定した区分情報をチャネルコーディング部２０９−１〜２０９−ｎへ出力する。即ち、変更決定部１５０２は、区分毎のしきい値に変更がない場合は、区分毎のしきい値を変更せずにそのままの区分情報をチャネルコーディング部２０９−１〜２０９−ｎへ出力するか、あるいは信号を送信しない。一方、移動機１２００が同一の区分に集中してしまった場合には、その集中した区分をさらに細分化するしきい値を設定することを決定する。また、ＣＱＩ送信割り当て単位時間における受信スロット数が最も多い区分に移動機１２００が存在しない場合は、次に優先してスケジューリングする移動機１２００を判断するために、全ての区分におけるしきい値の変更を決定する。そして、区分のしきい値の変更が決定された場合は、区分を変更するための信号及び各移動機１２００の分布情報を区分変更部１５０３へ出力する。
【００９８】
区分変更部１５０３は、変更決定部１５０２から区分を変更することを決定した旨の信号が入力した場合には、変更決定部１５０２から入力した分布情報に基づいて、区分のしきい値を変更し、変更した区分毎のしきい値情報を報告タイミング観測部１３０１へ出力する。
【００９９】
次に、移動機１２００と基地局装置１３００とにおけるＣＱＩ及び送信タイミング制御信号の送受信について、図１６を用いて説明する。移動機１２００は、図１６（ａ）に示すように、基地局装置１３００へＣＱＩを送信する。この時には、ＣＱＩの送信間隔はΔｔ１０である。次に、ＣＱＩを受信した基地局装置１３００は、報告タイミング観測部１３０１における各区分に存在する移動機１２００の分布に応じて区分を設定し、図１６（ｂ）に示すように、設定した区分情報を各移動機１２００へ送信する。区分情報を受信した移動機１２００は、区分情報を考慮してＣＱＩ送信制御部１１３におけるしきい値を設定し、設定したしきい値とバッファ１０６に蓄積された送信データ量とを比較し、例えば図１６（ｃ）に示すようにＣＱＩを送信する間隔をΔｔ１０／２に変更してＣＱＩを基地局１３００へ送信する。
【０１００】
このように、本実施の形態の通信端末装置及び基地局装置によれば、上記実施の形態２の効果に加えて、基地局装置から送信される区分情報に基づいてバッファに蓄積された送信データ量と比較するしきい値を設定するので、バッファに蓄積される送信データ量が、他の移動機においても同様である場合であっても、そのような移動機の中で優先的なスケジューリングを行うことができ、データ量に応じてきめ細かなスケジューリングを行うことができる。
【０１０１】
なお、本実施の形態においては、送信スロット数と送信パターンを用いて送信データに関する情報を間接的に伝えているが、送信スロット数と送信パターンのいずれか片方のみを使用しても良い。
【０１０２】
（実施の形態５）
図１７は、本実施の形態に係る移動機１７００の構成を示す図であり、図１８は、本実施の形態に係る基地局装置１８００の構成を示す図である。本実施の形態においては、多数の移動機１７００において、バッファ１０６に蓄積された送信データの許容遅延時間が同じくらいである場合に、許容遅延時間と比較するしきい値を変更して、許容遅延時間が同じくらいの移動機１７００に対してさらにきめ細かなスケジューリングを行う点を特徴とするものである。本実施の形態においては、図１７において報告タイミング制御信号抽出部１７０１、報告タイミング制御指示部１７０２及び許容遅延時間情報生成部１７０３を設ける構成が図１と相違しており、図１８において報告タイミング観測部１８０１及び報告タイミング制御信号生成部１８０３を設ける構成が図２と相違している。なお、図１及び図２と同一構成の部分は同一の符号を付してその説明を省略する。
【０１０３】
最初に、移動機１７００の構成について、図１７を用いて説明する。ＣＱＩ送信制御部１７０４は、報告タイミング制御指示部１７０２から入力したしきい値を設定するための指示信号に基づいてしきい値を設定する。そして、ＣＱＩ送信制御部１１３は、許容遅延時間情報生成部１７０３から入力した許容遅延時間と設定したしきい値とを比較し、許容遅延時間がしきい値以上の場合は、ＣＱＩ送信割り当て単位時間において通常のＣＱＩの送信スロット数よりもスロット数を増加させる指示信号をＣＱＩ生成部１０７へ出力する。また、ＣＱＩ送信制御部１７０４は、バッファ１０６からバッファ１０６における送信データの遅許容遅延時間以外の送信データに関係する情報を受け取り、その情報に応じた送信スロットの送信パターンにてＣＱＩを送信するように制御する。送信スロットの送信パターンは、ＣＱＩ送信割り当て単位時間におけるＣＱＩの送信スロット数は変えずに、送信パターンのみを変えるものである。
【０１０４】
報告タイミング制御信号抽出部１７０１は、チャネルコーディング部１０５から入力した受信データより、受信データに含まれている区分情報を抽出して、報告タイミング制御指示部１７０２へ出力する。
【０１０５】
報告タイミング制御指示部１７０２は、報告タイミング制御信号抽出部１７０１から入力した区分情報に基づいて、許容遅延時間情報生成部１７０３から出力される許容遅延時間と比較するしきい値を決定し、決定したしきい値をしきい値情報としてＣＱＩ生成部１０７へ出力する。
【０１０６】
許容遅延時間情報生成部１７０３は、バッファ１０６から入力したデータの種類より決まる許容遅延時間と現在の遅延から残りの許容遅延時間を求め、許容遅延時間情報としてＣＱＩ送信制御部１７０４へ出力する。
【０１０７】
次に、基地局装置１８００の構成について、図１８を用いて説明する。報告タイミング観測部１８０１は、受信スロット数を、ＣＱＩ送信割り当て単位時間における受信スロット数に応じて区分し、各移動機１７００がいずれの区分に属するかを判定し、各移動機１７００が属する区分を報告タイミング制御信号生成部１８０３へ出力する。また、報告タイミング観測部１８０１は、報告タイミング制御信号生成部１８０３の制御により、区分毎のしきい値を変更することも可能である。また、報告タイミング観測部１８０１は、ＣＱＩ送信割り当て単位時間におけるＣＱＩの受信スロット数の受信パターンを条件設定部１８０２へ出力する。
【０１０８】
報告タイミング制御信号生成部１８０３は、ＣＱＩを報告させる回数やタイミングを変える区分を示す情報をチャネルコーディング部２０９−１〜２０９−ｎへ出力する。また、同時に報告タイミング制御信号生成部１８０３は、報告タイミング観測部１８０１へ、区分毎のしきい値の変更を行うように信号を出力する。例えば、移動機１７００が、同一の区分に集中してしまった場合には、報告タイミング制御信号生成部１８０３は、その集中した区分をさらに細分化する制御を行うことで次に優先してスケジューリングする移動機１７００を判断することが可能である。
【０１０９】
チャネルコーディング部２０９−１〜２０９−ｎは、条件設定部２０７から入力した送信パラメータ情報及びスケジューリング情報、報告タイミング制御信号生成部１８０３から入力した区分情報を符号化し、変調部２１０−１〜２１０−ｎへ出力する。この時に、チャネルコーディング部２０９−１〜２０９−ｎは、スケジューリングによる送信対象の移動機へおくる送信パラメータ情報を符号化し出力するか、若しくは全移動局が共通で受信する制御チャネルで送る場合は、特定のチャネル用の送信パラメータ情報として符号化し出力する。
【０１１０】
このように、本実施の形態の通信端末装置及び基地局装置によれば、上記実施の形態３の効果に加えて、基地局装置から送信される区分情報に基づいて許容遅延時間と比較するしきい値を設定するので、バッファに蓄積される送信データの許容遅延時間と他の移動機における送信データの許容遅延時間とが同じくらい短い場合であっても、そのような移動機の中で優先的なスケジューリングを行うことができ、データの種類に応じてきめ細かなスケジューリングを行うことができる。
【０１１１】
なお、本実施の形態においては、送信スロット数と送信パターンを用いて送信データに関する情報を間接的に伝えているが、送信スロット数と送信パターンのいずれか片方のみを使用しても良い。
【０１１２】
上記実施の形態１から実施の形態５は、組み合わせて用いることが可能である。
【０１１３】
【発明の効果】
以上説明したように、本発明によれば、上り回線において、各移動局のデータに応じた最適なスケジューリングを行うことができる。
【図面の簡単な説明】
【図１】本発明の実施の形態１に係る移動機の構成を示すブロック図
【図２】本発明の実施の形態１に係る基地局装置の構成を示すブロック図
【図３】本発明の実施の形態１に係る移動機の動作を示すフロー図
【図４】本発明の実施の形態２に係る基地局装置の構成を示すブロック図
【図５】本発明の実施の形態２に係る条件設定部の構成を示すブロック図
【図６】ＣＱＩの送信スロット数及び送信スロットのパターンを示す図
【図７】本発明の実施の形態２に係る移動機の動作を示すフロー図
【図８】本発明の実施の形態２に係る移動機の動作を示すフロー図
【図９】本発明の実施の形態２に係る基地局装置の動作を示すフロー図
【図１０】本発明の実施の形態３に係る移動機の構成を示すブロック図
【図１１】本発明の実施の形態３に係る移動機の動作を示すフロー図
【図１２】本発明の実施の形態４に係る移動機の構成を示すブロック図
【図１３】本発明の実施の形態４に係る基地局装置の構成を示すブロック図
【図１４】本発明の実施の形態４に係るＣＱＩ送信制御部の構成を示すブロック図
【図１５】本発明の実施の形態４に係る報告タイミング制御信号生成部の構成を示すブロック図
【図１６】本発明の実施の形態４に係る移動機と基地局装置の動作を示す模式図
【図１７】本発明の実施の形態５に係る移動機の構成を示すブロック図
【図１８】本発明の実施の形態５に係る基地局装置の構成を示すブロック図
【符号の説明】
１０５　チャネルコーディング部
１０６　バッファ
１０７　ＣＱＩ生成部
１０８　基地局情報抽出部
１０９　チャネルコーディング部
１１０　変調部
１１３　ＣＱＩ送信制御部
２０６　ＣＱＩ抽出部
２０７　条件設定部
２０９−１〜２０９−ｎ　チャネルコーディング部
２１０−１〜２１０−ｎ　変調部
【図１】
2004134898.tif 000003
【図２】
2004134898.tif 000004
【図３】
2004134898.tif 000005
【図４】
2004134898.tif 000006
【図５】
2004134898.tif 000007
【図６】
2004134898.tif 000008
【図７】
2004134898.tif 000009
【図８】
2004134898.tif 000010
【図９】
2004134898.tif 000011
【図１０】
2004134898.tif 000012
【図１１】
2004134898.tif 000013
【図１２】
2004134898.tif 000014
【図１３】
2004134898.tif 000015
【図１４】
2004134898.tif 000016
【図１５】
2004134898.tif 000017
【図１６】
2004134898.tif 000018
【図１７】
2004134898.tif 000019
【図１８】
2004134898.tif 000020
【手続補正書】
【提出日】平成15年11月28日(2003.11.28)
【手続補正１】
【補正対象書類名】明細書
【補正対象項目名】特許請求の範囲
【補正方法】変更
【補正の内容】
【特許請求の範囲】
【請求項１】
送信データを蓄積するバッファ手段と、通信品質に応じたＣＱＩを生成するＣＱＩ生成手段と、前記バッファ手段に蓄積された送信データの量あるいは送信データに関係した値に応じて前記ＣＱＩを送信する送信間隔を制御する送信制御手段と、を具備することを特徴とする通信端末装置。
【請求項２】
送信データを蓄積するバッファ手段と、通信品質に応じたＣＱＩを生成するＣＱＩ生成手段と、前記バッファ手段に送信データが蓄積されていない場合には前記ＣＱＩを送信しないように制御する送信制御手段と、を具備することを特徴とする通信端末装置。
【請求項３】
前記送信制御手段は、前記バッファ手段に蓄積された送信データの蓄積量がしきい値以上の場合に、所定時間における前記ＣＱＩを送信するスロット数を増加して送信することを特徴とする請求項１記載の通信端末装置。
【請求項４】
前記送信制御手段は、許容遅延時間がしきい値未満の場合に所定時間における前記ＣＱＩを送信するスロット数を増加して送信することを特徴とする請求項１記載の通信端末装置。
【請求項５】
前記送信制御手段は、受信データに含まれている区分情報に基づいて前記しきい値を設定することを特徴とする請求項３または請求項４記載の通信端末装置。
【請求項６】
前記送信制御手段は、前記所定時間における前記ＣＱＩを送信するスロットの送信パターンを、前記送信データの量あるいは送信データに関係した値に応じて変更することを特徴とする請求項１記載の通信端末装置。
【請求項７】
受信データよりＣＱＩを抽出するＣＱＩ抽出手段と、前記ＣＱＩの受信スロット数を観測する観測手段と、前記ＣＱＩ抽出手段にて抽出した前記ＣＱＩ及び所定時間における前記受信スロット数に基づいてスケジューリングを行うスケジューリング手段と、前記スケジューリング手段におけるスケジューリングにて送信データを生成するデータ生成手段と、を具備することを特徴とする基地局装置。
【請求項８】
前記スケジューリング手段は、所定時間における前記受信スロット数が増加した通信相手が優先的に送信することができるようにスケジューリングを行うことを特徴とする請求項７記載の基地局装置。
【請求項９】
前記スケジューリング手段は、前記所定時間における前記ＣＱＩの受信スロットの受信パターンを考慮してスケジューリングすることを特徴とする請求項７または請求項８記載の基地局装置。
【請求項１０】
送信データをバッファに蓄積する工程と、通信品質に応じたＣＱＩを生成する工程と、前記バッファに蓄積された送信データの量あるいは送信データに関係した値に応じて前記ＣＱＩを送信する送信間隔を制御する工程と、を具備することを特徴とする送信方法。
【請求項１１】
送信データをバッファに蓄積する工程と、通信品質に応じたＣＱＩを生成する工程と、前記バッファに送信データが蓄積されている場合にのみ前記ＣＱＩを送信する工程と、を具備することを特徴とする送信方法。
【手続補正２】
【補正対象書類名】明細書
【補正対象項目名】０００７
【補正方法】変更
【補正の内容】
【０００７】
【課題を解決するための手段】
本発明の通信端末装置は、送信データを蓄積するバッファ手段と、通信品質に応じたＣＱＩを生成するＣＱＩ生成手段と、前記バッファ手段に蓄積された送信データの量あるいは送信データに関係した値に応じて前記ＣＱＩを送信する送信間隔を制御する送信制御手段と、を具備する構成を採る。


【手続補正３】
【補正対象書類名】明細書
【補正対象項目名】０００８
【補正方法】変更
【補正の内容】
【０００８】
この構成によれば、送信データの量あるいはデータに関係する値に応じてＣＱＩを送信する送信間隔を制御するので、ＣＱＩを受信する基地局装置は、上り回線において、各移動局のデータに応じた最適なスケジューリングを行うことができる。


【手続補正４】
【補正対象書類名】明細書
【補正対象項目名】０００９
【補正方法】変更
【補正の内容】
【０００９】
本発明の通信端末装置は、送信データを蓄積するバッファ手段と、通信品質に応じたＣＱＩを生成するＣＱＩ生成手段と、前記バッファ手段に送信データが蓄積されていない場合には前記ＣＱＩを送信しないように制御する送信制御手段と、を具備する構成を採る。
【手続補正５】
【補正対象書類名】明細書
【補正対象項目名】００１１
【補正方法】変更
【補正の内容】
【００１１】
本発明の通信端末装置における前記送信制御手段は、前記バッファ手段に蓄積された送信データの蓄積量がしきい値以上の場合に、所定時間における前記ＣＱＩを送信するスロット数を増加して送信する構成を採る。


【手続補正６】
【補正対象書類名】明細書
【補正対象項目名】００１３
【補正方法】変更
【補正の内容】
【００１３】
本発明の通信端末装置における前記送信制御手段は、許容遅延時間がしきい値未満の場合に所定時間における前記ＣＱＩを送信するスロット数を増加して送信する構成を採る。


【手続補正７】
【補正対象書類名】明細書
【補正対象項目名】００１９
【補正方法】変更
【補正の内容】
【００１９】
本発明の基地局装置は、受信データよりＣＱＩを抽出するＣＱＩ抽出手段と、前記ＣＱＩの受信スロット数を観測する観測手段と、前記ＣＱＩ抽出手段にて抽出した前記ＣＱＩ及び所定時間における前記受信スロット数に基づいてスケジューリングを行うスケジューリング手段と、前記スケジューリング手段におけるスケジューリングにて送信データを生成するデータ生成手段と、を具備する構成を採る。


【手続補正８】
【補正対象書類名】明細書
【補正対象項目名】００２５
【補正方法】変更
【補正の内容】
【００２５】
本発明の送信方法は、送信データをバッファに蓄積する工程と、通信品質に応じたＣＱＩを生成する工程と、前記バッファに蓄積された送信データの量あるいは送信データに関係した値に応じて前記ＣＱＩを送信する送信間隔を制御する工程と、を具備するようにした。
この方法によれば、送信データの量あるいはデータに関係する値に応じてＣＱＩを送信する送信間隔を制御するので、ＣＱＩを受信する基地局装置は、上り回線において、各移動局のデータに応じた最適なスケジューリングを行うことができる。
【手続補正９】
【補正対象書類名】明細書
【補正対象項目名】００２６
【補正方法】変更
【補正の内容】
【００２６】
本発明の送信方法は、送信データをバッファに蓄積する工程と、通信品質に応じたＣＱＩを生成する工程と、前記バッファに送信データが蓄積されている場合にのみ前記ＣＱＩを送信する工程と、を具備するようにした。
この方法によれば、バッファにデータが蓄積されていない時には、ＣＱＩを送信せず、バッファにデータが蓄積された場合にのみＣＱＩを送信するので、上り回線において、各移動局のデータに応じた最適なスケジューリングを行うことができる。